(57)【要約】【課題】  初期性能を長期間維持することができる地下水汲み上げ用の巻線型スクリーンを安価で提供する。【解決手段】  鋼管製の取水ケーシング５０に、枕線６０…を介して取水ケーシング５０から浮かせた状態で所定の巻付けピッチでフィルタ巻線７０を巻き付けて溶接固定することによって形成される巻線型スクリーンにおいて、枕線６０…のフィルタ巻線７０の巻付けピッチに対応する位置に予め位置ずれ防止ノッチ６Ｖを形成し、フィルタ巻線７０を位置ずれ防止ノッチ６Ｖに嵌め込んで溶接固定する。フィルタ巻線７０の巻き付け作業が単純化、省力化されるとともに、仮に、一部の溶接箇所が剥離してもフィルタ巻線７０の巻付けピッチは、位置ずれ防止ノッチ６Ｖ…によって維持され、初期の濾化機能は何ら損なわれない。【選択図】図１
2018096191.tif 000002
【特許請求の範囲】
【請求項１】
周壁に多数個の導水孔を形成した鋼管製の取水ケーシングと、該取水ケーシングの周壁外側面に軸方向に向けて角度割り配置で溶接固定される複数本の枕線と、該枕線を介して前記取水ケーシングの周壁外側面に、互いに接触しないように設定される所定の巻付けピッチで連続的に巻き付けて溶接固定される異形断面のフィルタ巻線とを備え、前記フィルタ巻線間に連続的に形成される微間隙と前記多数個の導水孔を介して前記取水ケーシング内に地下水を導入するようにしてなる巻線型スクリーンにおいて、
前記複数本の枕線の前記フィルタ巻線の巻付けピッチに対応する位置に前記フィルタ巻線を位置決めする位置ずれ防止ノッチを形成し、前記フィルタ巻線を該位置ずれ防止ノッチに嵌め込みながら前記取水ケーシングに巻き付けて溶接固定することを特徴とする巻線型スクリーン。
【発明の詳細な説明】
【技術分野】
【０００１】  本発明は、地下水を温泉用途や飲料水用途、その他の用途に供するために汲み上げるに際して、地上レベルから地下水脈レベルに到達するように掘り下げた井戸穴内に埋設して使用する地下水汲上げ用の巻線型スクリーンに関する。
【背景技術】
【０００２】  地下水を土壌成分混じりのまま継続的に汲み上げると、多くの場合、汲み上げた後に土壌沈殿処理等の淨水化処理が必要とされるとともに、早晩、汲み上げ場所近傍に地盤陥没事故等を招来する原因となる。このような無駄や危険を事前に防止するには、地下水脈レベルにおいて濾化作業を実施し、土壌成分を汲み上げることなく必要とされる水分のみを汲み上げることが望ましい。そこで、従来、地下水を汲み上げるに際しては、濾化機能を有する地下水汲上げ用の巻線型スクリーンが使用されることが多い。【０００３】  地下水汲上げ用の巻線型スクリーンは、井戸穴内に埋設して使用されることから、多少の地盤変動や恒常的に負荷される地盤圧力に耐える堅牢さとともに、長期間に亘って所定の濾化機能を維持することができるもの、換言すれば、容易に目詰まりしないものであることが要求される。【０００４】  このような用途に供される巻線型スクリーンは、多数個の導水孔を形成した鋼管製の取水ケーシングの周壁外側面に、軸方向に向けて複数本の枕線を取り付け、この枕線を介して取水ケーシングの周壁外側面にフィルタ巻線を所定の巻付けピッチで連続的に巻き付けた基本構成を有するものが提供されている【０００５】  上記巻線型スクリーンにおける取水ケーシングは、地盤圧力等の外力に対抗しつつ内部に地下水を受け入れる空間を形成するための構造部材であり、数複本の枕線は、フィルタ巻線を取水ケーシングの周壁外側面から浮かせた状態で巻き付けるためのスペーサ部材である。数複本の枕線は、通常、取水ケーシングの中心に対して等角度配置で取水ケーシングの周壁外側面に溶接付けされる。また、フィルタ巻線は、濾化機能を担当するフィルタを形成するための連続した線材であり、フィルタ巻線の巻付けピッチは、隣接するフィルタ巻線が接触しない巻付けピッチ、つまり、フィルタ巻線間に地盤状態や汲み上げた水の用途に応じて設定される微間隙が形成されるように設定される。この微間隙は、通常、０．５ミリないし２ミリメートル程の範囲に選定される。【０００６】  フィルタ巻線の巻き付け作業に際しては、フィルタ巻線に緩みが生じないように所定に張力が負荷される。したがって、フィルタ巻線は、必然的に数複本の枕線の全てに接触する。枕線の太さや本数は、漫然と理由なく決定される訳ではなく、この際にフィルタ巻線が取水ケーシングに接触しない太さと本数に決定され、枕線を介して取水ケーシングに巻き付けられたフィルタ巻線は、枕線の位置を頂点とする多角形状になる。また、フィルタ巻線は、所定の巻付けピッチを精密に維持するために枕線との全ての接触点においてスポット溶接によって固定される。【０００７】  なお、フィルタ巻線には、上記先行技術の開発者らによる巧妙な工夫がなされている。巧妙な工夫は、フィルタ巻線の断面形状に具体化されている。フィルタ巻線には、断面形状が線材として一般的な円形ではなく、異形断面のものが採用されているのである。異形断面のフィルタ巻線を採用する目的は、隣接するフィルタ巻線間に形成される微間隙が巻線型スクリーンの外部側から内部側に向かって拡大する形状、これを別の表現で言えば、巻線型スクリーン内に進入する地下水の進行方向に向かって拡大する形状にすることである。この目的にかなう具体的な断面形状を例示すれば、各種の三角形や台形を上げることができるが、これらの形状に限定される訳ではないので、やむなく、「異形断面」というような表現になる。【０００８】  例えば、従来から巻線型スクリーンに多用されている断面形状が三角形のフィルタ巻線の場合、底辺を外側とし、頂点が枕線に接する姿勢で巻き付ければ、上記、外部側から内部側に向かって拡大する微間隙を形成することができる。これによって、フィルタ巻線によって形成されるフィルタの目詰まりを防止することができるのである。その理由は、次のようにフィルタ巻線に円形断面形状のものを採用した場合に発生する目詰まり発生のメカニズムの反対解釈によって容易に理解できる。【０００９】  円形断面のフィルタ巻線の場合、隣接するフィルタ巻線に形成される微間隙は、直径位置において最も狭く、その外側と内側に向かって拡大する形状となる。この結果、直径位置を通過することができないサイズの土壌粒子であっても地下水とともに微間隙内に進入し、微間隙が狭まる直径位置で隣接するフィルタ巻線間に挟み込まれる状態が確率必然的に生じる。次いで、直径位置を通過することができるサイズであるが、先にフィルタ巻線間に挟み込まれた土壌粒子間を通過することができないサイズの土壌成分が捕捉されてしまう。同様の仕組みで、経時的に徐々にサイズの細かい土壌粒子が捕捉され、やがて、地下水も通過できない完全な目詰まり状態が出来上がる。つまり、このような悪循環は、フィルタ巻線間の微間隙が巻線型スクリーンの内部側に向かって狭まっていることに起因して生じる。したがって、フィルタ巻線の断面形状を工夫して、フィルタ巻線間の微間隙が内部側に向かって拡大するようにすることによって目詰まりの発生を効果的に防止することができるという訳である。
【発明の概要】
【発明が解決しようとする課題】
【００１０】  上記従来の巻線型スクリーンに関しては、製造上の問題点と、取扱い上の問題点と、耐震性に関する問題点を指摘することができる。【００１１】  製造上の問題点としては、フィルタ巻線の溶接固定に過分の製造時間を要するという問題がある。実際に製造されている巻線型スクリーンの寸法例で説明すると、単位長さ５５００ミリ、外径が２７０ミリの取水ケーシングの場合、直径５ミリの枕線が１５本用いられる。単位長さ５５００ミリの取水ケーシングは、井戸穴の深さに応じて直列に連結して用いられる。【００１２】  単位長さ５５００ミリの取水ケーシングにおけるフィルタ巻線の巻き幅は約５０００ミリで巻き付け回数は、約３３０ターンである。断面形状が三角形のフィルタ巻線は、１ターンにつき１５本の枕線と点接触状態で接し、全ての接触点が溶接固定される。この際の溶接方法には、スポット溶接が採用されている。この結果、３３０ターンでは、４９５０箇所溶接することを要することになる。スポット溶接機は、ロボット化されてはいるものの、溶接箇所が余りにも膨大であることに加え、確実な溶接作業には、フィルタ巻線のみならず母材の温度上昇も必要であるため１箇所当たりの溶接所用時間を短縮することにも自ずから限界がある。【００１３】  上記製造工程が冗長であるという問題に関しては、予めフィルタ巻線の巻き付け作業を済ませ、複数基の溶接ロボットを用いて複数箇所から同時並行的に溶接作業を行えばどうかという提案がなされたこともあるが、この方法は、奏効しなかったという経緯がある。その原因は、許容誤差の蓄積にある。例えば、フィルタ巻線間の微間隙が０．５ミリに設定される場合、実際の溶接作業は、各ターンにつき順次に、先に溶接固定されたフィルタ巻線との間に０．５ミリの間隔を確保する後追い方式で行われる。これは、固定されていないものを基準にすることができないためである。この結果、後追い方式の製造では、全ての微間隙は正確に許容誤差の範囲内に収まる。ところが、１回目の作業において１００ターン分の溶接作業を終了した時点でのフィルタ巻線の位置と、２回目に１００ターン分の溶接作業を終了した時点でのフィルタ巻線の位置とが同じかと言えば、異なるのである。これは、１００ターン分の誤差が異なるように蓄積して現れるためである。また、このことは、複数箇所から同時並行的に溶接作業を行った場合には、所定の微間隙を確保できない不良箇所が発生してしまうことを示している。【００１４】  巻線型スクリーンにおける取扱い上の問題は、巻線型スクリーンが長尺かつ重量物であることに起因して生じる。フィルタ巻線は、屈曲し易い針金状であり、枕線に対して１点で点付けされている状態である。しかも、フィルタ巻線は、取水ケーシングを取り囲むように外側に位置している。長尺重量物の外側にこのようなデリケートな部材が存在する結果、運搬や設置工事に際しての一寸した接触事故によって、溶接部分が剥離してしまう事態が頻出するのである。【００１５】  わが国のみならず、地震は避けられない自然現象である。従来の巻線型スクリーンにおいては、地震発生後に汲み上げ水中にフィルタ巻線の微間隙を通過できないはずのサイズの土壌粒子が大量に混入してくるという問題が指摘されている。一旦井戸穴内に埋設した巻線型スクリーンは、フィルタ巻線を損傷させることなく引き上げて調査することは困難であるため、理由は推測の域を出ないが、地震に際して地盤の振動状態と巻線型スクリーンの振動状態とが異なるために、地盤中の岩石等とフィルタ巻線とが相対的に擦れ合ってフィルタ巻線の溶接部分が剥離し、フィルタ巻線が位置ずれすることが原因と考えられる。【００１６】  本発明は、従来の巻線型スクリーンにおいて指摘されていた問題、すなわち、製造工程がいかにも冗長で長時間を要し、生産性が悪い。運搬や設置に過分の注意を要する。フィルタ巻線の溶接部分が構造必然的に脆弱であり、地震耐久性に乏しいという問題点を解決することを課題とする。
【課題を解決するための手段】
【００１７】  上記課題を解決するために本発明が採用する手段は、次のようである。【００１８】  （解決手段１）
本発明の巻線型スクリーンは、周壁に多数個の導水孔を形成した鋼管製の取水ケーシングと、この取水ケーシングの周壁外側面に軸方向に向けて角度割り配置で溶接固定される複数本の枕線と、この枕線を介して取水ケーシングの周壁外側面に、互いに接触しないように設定される所定の巻付けピッチで連続的に巻き付けて溶接固定される異形断面のフィルタ巻線とを備え、フィルタ巻線間に連続的に形成される微間隙と取水ケーシング形成された多数個の導水孔を介して取水ケーシング内に地下水を導入するようにしてなる巻線型スクリーンにおいて、取水ケーシングに溶接固定された複数本の枕線のフィルタ巻線の巻付けピッチに対応する位置にフィルタ巻線を位置決めする位置ずれ防止ノッチを形成し、フィルタ巻線をこの位置ずれ防止ノッチに嵌め込みながら取水ケーシングに巻き付けて溶接固定することを特徴とする。【００１９】  上記解決手段１に示す本発明の巻線型スクリーンの技術的特徴は、取水ケーシングに溶接固定された複数本の枕線のフィルタ巻線の巻付けピッチに対応する位置にフィルタ巻線を位置決めする位置ずれ防止ノッチを形成し、フィルタ巻線をこの位置ずれ防止ノッチに嵌め込みながら取水ケーシングに巻き付けて溶接固定するという極めてシンプルなものである。しかしながら、このシンプルな技術的特徴が従来の技術に対して示す貢献は多面的かつ有意である。すなわち、このシンプルな構成一つで従来の巻線型スクリーンにおいて指摘されていた３つの問題点が一挙に解決されるのである。背景技術欄において、従来の技術についてやや冗長に説明したのは、このことの理解に供する意図である。【００２０】  枕線に形成される位置ずれ防止ノッチは、いわば単なる窪みである。単なる窪みであるから、例えば、グラインダで研削して形成してもよく、タガネを打ち込んで形成してもよく、フィルタ巻線の断面形状によっては、メタルソーで切り欠いて形成してもよい。位置ずれ防止ノッチとして必要な要件は、巻き付けられたフィルタ巻線の少なくとも一部分を嵌め込んで位置決めできることである。ここで、位置決めとは、フィルタ巻線の巻付けピッチが変化する方向についてフィルタ巻線の移動を阻止することを言い、フィルタ巻線の長手方向、つまり、フィルタ巻線に張力を加える方向については、フィルタ巻線の移動は許容される。【００２１】  上記位置ずれ防止ノッチは、フィルタ巻線と全ての枕線との接触点においてフィルタ巻線の巻付けピッチに対応して形成され、フィルタ巻線は、所定の張力を加えつつ全ての枕線の全ての位置ずれ防止ノッチに嵌め込みながら複数本の枕線の外側に巻き付けられる。【００２２】  フィルタ巻線の巻き付け作業に際しては、フィルタ巻線が所定の巻付けピッチに対応して形成された位置ずれ防止ノッチに順次に嵌め込まれている限り、フィルタ巻線は、いわば、自動的に正しい位置に固定されるので、先順に巻き付けられたフィルタ巻線を１ターン毎に溶接固定する必要がなく、したがって、フィルタ巻線の巻き付け作業は、その始端から終端までを高速で一気に終了させることができる。【００２３】  また、ここで不可能ではない極端な話をすれば、上記のように巻き付けられたフィルタ巻線は、巻付けピッチが変化する方向��は位置ずれできないのであるから、その固定作業は、フィルタ巻線の始端と終端との２箇所を固定することで終了するとも言える。このことからすれば、本発明の巻線型スクリーンにおけるフィルタ巻線は、従来のように複数本の枕線との全ての接触点において溶接固定する必要は毛頭なく、接触点２箇所ないし５箇所につき１箇所、さらには、１ターンにつき１箇所を溶接固定すれば十分であると言える。つまり、膨大と言える溶接箇所を容易に半減以下ないし１／１０以下にすることができるのである。【００２４】  また、溶接箇所を削減できるばかりではなく、フィルタ巻線巻き付けた時点でフィルタ巻線の巻付けピッチは、先順位に巻き付けられたフィルタ巻線の位置に依存することなく、位置ずれ防止ノッチに依存して正確に定まることから、フィルタ巻線の溶接作業をフィルタ巻線の任意位置から開始することもできる。また、複数個所から同時に行うこともできる。【００２５】  ここで重要なことは、位置ずれ防止ノッチに嵌め込んで溶接固定されたフィルタ巻線と枕線との接合強度は、同じ溶接手段を用いた場合でも従来のようなピンポイント的接触箇所に対するスポット溶接に比べて格段に高くなるということである。スポット溶接においては、溶接棒を用いないので、溶接棒を用いる他の溶接方法と異なり、溶接部分に溶接ビードを盛り上げて接合強度を高めるというような手法をとることができない。したがって、接合強度は、ほぼ溶接物と母材との溶着面積によって定まる。この点、位置ずれ防止ノッチにフィルタ巻線を嵌め込んで溶接固定する本発明では、フィルタ巻線と枕線との溶着面積を大幅に拡大することができるので、溶接部分の接合強度を容易に高めることができるのである。また、言うまでもなく、仮に溶接部分が剥離したとしてもフィルタ巻線の巻付けピッチが変化してしまうような事態に至らない。
【発明の効果】
【００２６】  本発明は、鋼管製の取水ケーシングに、枕線を介して取水ケーシングから浮かせた状態で所定の巻付けピッチでフィルタ巻線を巻き付けて溶接固定することによって形成される巻線型スクリーンにおいて、枕線のフィルタ巻線の巻付けピッチに対応する位置に予め位置ずれ防止ノッチを形成し、フィルタ巻線を位置ずれ防止ノッチに嵌め込んで溶接固定する手段を採用することにより、次のような有意な効果を奏する。【００２７】  フィルタ巻線の巻付けピッチは、フィルタ巻線を位置ずれ防止ノッチに嵌め込んで巻き付けるのみで所定のピッチに定まるので、フィルタ巻線の巻き付け作業は、先順位に巻き付けられたフィルタ巻線の溶接作業や精密ピッチ送り作業等を要することなく始端から終端までを短時間で一気に終了させることができる他、巻き付け完了したフィルタ巻線は、その始端と終端が所定の張力で固定されている限り、その中間部分は位置ずれ防止ノッチによって巻付けピッチが変化する方向には位置ずれすることができないので、枕線とフィルタ巻線との全ての接触点に対する溶接固定作業の必要がなく、溶接箇所を削減することによる大幅な省力化を実現することができる。この省力化効果は非常に大きなものであり、枕線に位置ずれ防止ノッチを形成するために要する作業増加分を相殺して十分に余りあると言える。これによって、従来の巻線型スクリーンにおいて指摘されていた製造工程が冗長で生産性が悪いという問題が、見事に解決される。【００２８】  本発明の巻線型スクリーンにおけるフィルタ巻線は、枕線に形成した位置ずれ防止ノッチに嵌め込んで大きな溶着面積を確保した状態で溶接固定されるので、従来の巻線型スクリーンに比べて溶接部分の接合強度を格段に高めることができる。この結果、施工現場への搬送過程や井戸穴への打設過程における接触事故等による溶接部分の剥離事故を大幅に減らすことができる。これによって、従来の巻線型スクリーンにおいて指摘されていた運搬や設置に過分の注意を要するという問題が解決される。同時に、フィルタ巻線の溶接部分が構造必然的に脆弱であり、地震耐久性に乏しいという問題も解決される。【００２９】  なお、本発明の巻線型スクリーンにおけるフィルタ巻線は、溶接手段に依存しなくても、位置ずれ防止ノッチに依存して正しい巻付けピッチを維持することができるので、フィルタ巻線の何処かの溶接箇所が剥離したとしても、その上流側の何処かの溶接箇所と、下流側の何処かの溶接箇所が健全である限り、巻付けピッチが変化する事態には至らない。このことは、フィルタ巻線の溶接箇所が剥離しても初期性能が維持されるという従来の巻線型スクリーン見られない本発明の巻線型スクリーンに特有の効果を示すものである。
【図面の簡単な説明】
【００３０】
【図１】本発明の巻線型スクリーンの実施の形態例を示す正面図である。
【図２】上記巻線型スクリーンの横断面拡大図である。
【図３】図２の部分拡大図である。
【図４】上記巻線型スクリーンの要部を拡大して示す縦断面図である。
【図５】本発明の巻線型スクリーンの他の実施の形態例を示す要部の拡大縦断面図である。
【発明を実施するための形態】
【００３１】  以下、図面を引用しながら本発明の巻線型スクリーンの実施の形態例を製造工程を追って説明する。
【００３２】  巻線型スクリーンは、鋼管製の取水ケーシング５０と、取水ケーシング５０の周壁５１の外側面に軸方向５Ｆに向けて角度割り配置で溶接固定される複数本の枕線６０…と、枕線６０…を介して取水ケーシング５０の周壁外側面に巻き付けて溶接固定されるフィルタ巻線７０と、フィルタ巻線７０の始端側と終端側に取り付けられる環状のシールキャップ８０，８０とからなる（図１）。
【００３３】  巻線型スクリーンは、製造設備、運搬機材との関係で一定の単位長さで製造される。図１に示す巻線型スクリーンは、取水ケーシング５０の単位長さ５５００ミリ、外径が２７０ミリで実施されるものを示している。井戸穴の深さや地下水脈の状態は施工現場ごとに異なるものであり、巻線型スクリーンは、必要に応じて２基以上を直列に連結して用いられる。この際、水脈の状態によっては、延長用の単なる鋼管を連結することもある。
【００３４】  取水ケーシング５０の素材には、剛性を確保する目的で、例えば、ＪＩＳ  Ｇ３４５２に規定されるかなり硬い炭素鋼製の鋼管が用いられる。また、枕線６０やフィルタ巻線７０にも同等の強度の高いものが選択される。先ず、取水ケーシング５０は、図示しない大型の旋盤型ジグ装置にセットされ、取水ケーシング５０の周壁５１には、プラズマ溶断ロボットによって、同一形状、同一サイズの多数個の導水孔５Ｈ…が規則正しく形成される。この際の導水孔５Ｈ…の形状やサイズの同一性、配置の規則性は、機械加工の便宜によるものであって、取水ケーシング５０として必要とされる必須の要件ではなく、これらは、任意事項である。ただし、取水ケーシング５０の曲げ剛性が低下したり、水を通過させる孔であることから、開口率が不足することとなるような導水孔５Ｈのサイズや配置は当然に好ましくない。
【００３５】  多数個の導水孔５Ｈ…が設けられた後、取水ケーシング５０の周壁外側面に複数本の枕線６０…が取り付けられる（図１、図２）。枕線６０は、丸棒材であり、複数本の枕線６０…は、取水ケーシング５０の中心５Ｐを基準とする等角度割り配置で取水ケーシング５０の軸方向５Ｆに沿って溶接固定される。本実施の形態例では、直径５ミリの枕線６０…が１５本用いられる。
【００３６】  次いで、取水ケーシング５０の取り付けられた状態の枕線６０…に対して、位置ずれ防止ノッチ６Ｖ…が加工される（図１、図４）。用いられるフィルタ巻線７０の断面形状が三角形である場合、フィルタ巻線７０は頂点を内側に向け、底辺を外側に向けて姿勢で巻き付けられる。これによって、フィルタ巻線７０間に生じる微間隙Ｄ１…が内側に向かって拡大することになるからである。したがって、このフィルタ巻線７０用の位置ずれ防止ノッチ６Ｖは、フィルタ巻線７０の頂点部分を部分的に嵌め込むことができるＶ字形状に設定される（図４）。
【００３７】  フィルタ巻線７０間の微間隙Ｄ１は、最も狭い部分が基準とされる。土壌粒子成分を通過するか否かは、最も狭い部分で決定するからである。したがって、フィルタ巻線７０の巻き付けピッチＰ１は、フィルタ巻線７０の底辺幅を考慮してフィルタ巻線７０間に所定の微間隙Ｄ１が形成されるように設定され、複数本の枕線６０…に対しては、このように設定された巻き付けピッチＰ１対応する位置ずれ防止ノッチ６Ｖ…を形成する必要がある。すなわち、枕線６０…が１５本の場合、隣接する枕線６０…間で順次に、正確に１／１５ピッチずれた位置に位置ずれ防止ノッチ６Ｖを加工しなければならない。この場合の５メートルを超えるワークのサイズからすると、これは結構難しい要求ではある。
【００３８】  上記、結構難しい要求に応じるために、前術の図示しない旋盤型ジグ装置が準備されたのである。このジグ装置は、ワークに回転送りを加えるとともに、往復台に各種の加工機を搭載してワークである取水ケーシング５０の軸方向５Ｆに水平送りを加えることができるようにしたものであり、複数本の枕線６０…に対する位置ずれ防止ノッチ６Ｖ…の加工は、いわば、旋盤によるネジ切り作業の要領で行われる。これによって、ネジ切り作業と同等の高精度で多数個の位置ずれ防止ノッチ６Ｖを自動的に加工することができる。なお、Ｖ字形の位置ずれ防止ノッチ６Ｖの場合は、往復台にソロバン玉型の砥石を備える研削加工機が搭載される。また、旋盤型ジグ装置は、大容量の発電、変電設備を付属しており、ワークに大電流を印加することもできる。
【００３９】  次いで、取水ケーシング５０に枕線６０…を介してフィルタ巻線７０が巻き付けられる。この際、取水ケーシング５０には、フィルタ巻線７０の始端位置と終端位置とに環状のシールキャップ８０，８０が取り付けられる（図１）。シールキャップ８０，８０は、枕線６０…の存在によって取水ケーシング５０の周壁５１とフィルタ巻線７０との間に生じる環状の間隙（図２）を閉塞するための部材である。
【００４０】  フィルタ巻線７０の巻き付け作業に際しては、ジグ装置の往復台にフィルタ巻線７０を案内するガイドローラ装置が搭載される。ガイドローラ装置は、ボビンから巻き解かれたフィルタ巻線７０に所定の張力を加えながら繰り出し可能に保持することができ、巻き付け作業についても、取水ケーシング５０に対する回転送りと、ガイドローラ装置の水平送りとの連携によって自動的に行われる。この際、フィルタ巻線７０の巻き付けピッチＰ１…は、位置ずれ防止ノッチ６Ｖ…によって決定されるので、精度を気にすることなく始端から終端までを短時間で済ますことが可能である。巻き付けられたフィルタ巻線７０は、部分的に位置ずれ防止ノッチ６Ｖに嵌り込み、枕線６０…の直径を侵食するが（図３）、これは、枕線６０…の直径で加減できる問題である。なお、フィルタ巻線７０の始端と終端は、それぞれシールキャップ８０，８０に固定される。
【００４１】  フィルタ巻線７０の巻き付け作業完了後、フィルタ巻線７０と枕線６０…との接触点に対する溶接作業が行われる。溶接作業に際しては、ジグ装置の往復台にスポット溶接用の電極装置が搭載するとともに、取水ケーシング５０が接地される。この作業も、上記作業と同様に旋盤によるネジ切り作業の要領で実施される。すなわち、旋盤型ジグ装置が大活躍する訳である。なお、本発明では、従来の巻線型スクリーンのように枕線６０…とフィルタ巻線７０との全ての接触点を溶接固定する必要はない。十分な安全度をみても、２箇所に１箇所を溶接すれば十分である。
【００４２】  フィルタ巻線７０の断面形状を台形としても、内側に向かって拡大する形状の微間隙Ｄ１を形成することができる（図５）。この場合、フィルタ巻線７０は、台形の上底を内側に向け、下底を外側にした姿勢で取水ケーシング５０に巻き付けられる。したがって、枕線６０…には、フィルタ巻線７０の上底部分を嵌め込むことができる形状の位置ずれ防止ノッチ６Ｖ…が形成される。このような形状の位置ずれ防止ノッチ６Ｖ…は、例えば、対応する刃先形状のカッタによって簡単に形成することができる。ただし、Ｖ字形の位置ずれ防止ノッチ６Ｖに比べて切削抵抗が大きくなるので枕線６０…の溶接付けをしっかり行っておく必要がある。
【符号の説明】
【００４３】  Ｐ１        巻き付けピッチ
Ｄ１        微間隙
５０        取水ケーシング
５１        周壁
５Ｈ        導水孔
６０        枕線
６Ｖ        位置ずれ防止ノッチ
７０        フィルタ巻線
【図１】
2018096191.tif 000003
【図２】
2018096191.tif 000004
【図３】
2018096191.tif 000005
【図４】
2018096191.tif 000006
【図５】
2018096191.tif 000007